Podtech/llm-jp-corpus-v4-ja_patent huggingface dataset:
(57)【要約】【課題】建設残土棄物発生を単一、複数廃棄物でもって安全性に問題のない緑化資材の提供。産業廃棄物埋立場の残余年数も少なくなり、処分場の残余容量を圧迫している。その延長措置なる対応策。各種廃棄物の再資源化を積極的に行い、調和のとれた用途開発の実施。【解決手段】本発明は、建設残土に酸性溶液添加でｐＨ３±１の処理後に洗浄を実施し、土壌環境基準を満足する塊成化処理方法でもって再資源化し再生利用が可能となる。【選択図】なし【特許請求の範囲】
【請求項１】
建設残土を各種産業廃棄物の多孔質体の珪藻土粕、パーライト、貝等を添加する。
一種類もしくは一種類以上の物質とを併用し塊成化することを特徴とする処理方法。
【請求項２】
前記製造工程において配合割合、または組み合わせによって生成することを特徴とした処理方法。
【請求項３】
悪臭公害消失として消臭効果のある木酢液を建設残土に含有させ、悪臭消臭対策とする。物質に吸着された木酢液は、ｐＨ３±１調整を可能とし、抗菌効果がある。さらに植物生育効果もあり、安全性の高い緑化資材を特徴とした処理方法。
【請求項４】
請求項１から３を含み建設残土の各種廃棄物の前記混成化は、他の廃棄物の単一、複数の組み合わせ、その固体生成の重量％配合等は、本発明の趣旨を逸脱しない範囲の変更は本発明に含まれる。
【発明の詳細な説明】
【技術分野】
【０００１】本発明は、建設残土の原料を固体固化、成形再生により、緑化資材に関するものである。
【背景技術】
【０００２】建設残土は、廃棄物として、そのまま廃棄処分場で処分をされているが、排出量の増大から管理型処分場の残余年数が少なくなっている現状と、環境問題において好ましくない。【０００３】各種の研究開発がなされており、再利用が提案されているものの、処理方法の複雑さ、経済面の困難から、従来、処分場で処分されている。
【発明の開示】
【発明が解決しようとする課題】
【０００４】本発明は、単なる廃棄物として処分をされている建設残土を、緑化資材の加工技術でもって再利用し、有用な材料に製造することで処分場の残余年数の延長が出来、経済的にも有効な技術の適用である。【０００５】建設残土が大量に発生することから、高額の廃棄費用が掛かり、企業経営に困難をきたしている状態を解決する。【０００６】大量発生する建設残土対策に管理、施工方法が企業経済に、実用に困難をきたしている。この廃棄物を有効活用し、再利用する方法を提供目的とする。
【課題を解決するための手段】
【０００７】本発明の技術的な新規性、汎用性、派生効果を新たな市場創造の実用に向けて、安定利用ができる体制、整備をすることを特徴とした。【０００８】建設残土の有効利用は、本発明においてその効果を、廃棄物を他の単一、複数の廃棄物をもって、リサイクルシステムの活用を特徴とした。
【発明の効果】
【０００９】本発明は、環境問題、環境保全、再資源の有効利用の意識が高まっている今日において、建設残土の有効利用方法によって、安全性の高い緑化資材の有効利用を可能とする。しかも、製造工程は特別な技術を要しないのが特徴。【００１０】本発明は、廃棄物を廃棄することなく加工、製造技術をもって成果を得た。【００１１】したがって、産業廃棄物を著しく低減することが出来る。【００１２】本発明からは、有害物質は発生しない。【００１３】本発明の製造技術は、先進的な環境浄化とリサイクルに貢献する。
【発明を実施するための最良の形態】
【００１４】本発明を実施するには、製造、リサイクル製品利用に関して、各県の所管の許可によって、産業開発促進となり、各産業企業にとって活性化となる。【００１５】本発明は、多孔質体の珪藻土、パーライト、貝等を一種類もしくは一種類以上の物資と混合をして固化する。無害化混合成形の形態であり、利用価値を高める。【００１６】有害物質溶出量は、ｐＨ調整、添加剤等で土壌環境基準を満足する本発明のリサイクル化は、合理的な成形が特徴。【００１７】これまで廃棄物として処分していた建設残土を処理方法によってリサイクルとして再利用することに期待ができた。
【産業上の利用可能性】
【００１８】本発明の緑化資材は、製造工程において混合物の種類の組み合わせ、混合率での生成によって安全性に優れた緑化資材分野に有効に利用できる。【００１９】本発明は、特別の技術を要しないことを特徴とした。【００２０】環境の負荷を考慮した有効利用、処分コストの削減、廃棄物から廃棄物を加工する技術が成形物の安定供給を可能とした。
(57)【要約】      （修正有）【課題】手で米を研ぐには水に手を入れなければならない。しかし、冬は水が冷たいし、また、手に傷があるときは手を水に入れたくない。【解決手段】把持部２と甲板部３とからなる器具を造り、この器具の甲板部３に突起物４を設け、その突起物４の周辺には米粒は通さないが米を研いだ後の米の研ぎ汁は通す穴５や溝６を多数設けたり、又は網を設けたりして、手を水に付けないで米を研いだり、米を研いだ後の米の研ぎ汁を漉したりする。【選択図】図１
2011045396.tif 000002
【特許請求の範囲】
【請求項１】
把持部（２）と甲板部（３）とからなる器具（１）で前記器具（１）の前記甲板部（３）に突起物（４）を有し、前記突起物（４）の周辺には米粒は通さないが米を研いだ後の米の研ぎ汁は通す穴（５）や溝（６）を多数設けたことを特徴とする米とぎ器。
【請求項２】
把持部（２）と甲板部（３）とからなる器具（１）で前記器具（１）の前記甲板部（３）に突起物（４）を有し、前記突起物（４）の周辺には米粒は通さないが米を研いだ後の米の研ぎ汁は通す網（７）を設けたことを特徴とする米とぎ器。
【発明の詳細な説明】
【技術分野】
【０００１】
この発明は、米を研ぐ事と米を研いだ後の米の研ぎ汁を漉す事とができる米とぎ器に関する。
【背景技術】
【０００２】
【特許文献１】公開実用新案公報  昭６２−１８０４５号  前記特許文献１記載は、米とぎ器の甲板部が中心線より角度を有しているので、米とぎ器の甲板部と炊飯釜の内側との間での水を入れた状態で米粒群の圧縮が片方向のみとなり、米の研ぎ汁で炊飯釜の水が白く濁るには長い時間を要する。
【発明の開示】
【発明が解決しようとする課題】
【０００３】
本発明は前記特許文献１記載の長い時間を要する課題を解決するために、米とぎ器の甲板部を角度のない平面にし、米とぎ器の甲板部と炊飯釜の内側との間での水を入れた状態で米粒群の圧縮を左右両方向にすることで、前記特許文献１記載の米とぎ器を用いて米を研ぎ、それにより米の研ぎ汁で炊飯釜の水が白く濁るのに要する時間を半分短くする。
【課題を解決するための手段】
【０００４】
そこで前記特許文献１記載の長い時間を要する課題を解決するために、把持部（２）と甲板部（３）とからなる器具（１）を造り、前記器具（１）の前記甲板部（３）に突起物（４）を設け、前記突起物（４）の周辺には米粒は通さないが米を研いだ後の米の研ぎ汁は通す穴（５）や溝（６）を多数設けて、短時間で米を研ぐという手段を用いる。
【０００５】
また前記特許文献１記載の長い時間を要する課題を解決するために、把持部（２）と甲板部（３）とからなる器具（１）を造り、前記器具（１）の前記甲板部（３）に突起物（４）を設け、前記突起物（４）の周辺には米粒は通さないが米を研いだ後の米の研ぎ汁は通す網（７）を設けて、短時間で米を研ぐという手段を用いる。
【発明の効果】
【０００６】
本発明により、手を水に濡らすことなく短時間で米が研げたり、米を研いだ後の米の研ぎ汁が漉せたりする効果がある。
【図面の簡単な説明】
【０００７】
【図１】本発明の実施例１を表す斜視図である
【図２】本発明の実施例２を表す斜視図である
【図３】実施例１を用い米の研ぎ汁を漉す状態の正面図である。
【発明を実施するための形態】
【０００８】
器具（１）の把持部（２）を手（１０）で持ち、炊飯釜（８）の内側と前記器具（１）の甲板部（３）との間での水を入れた状態で何回もの米粒群の左右両方の圧縮で米を研ぎ、前記器具（１）の前記甲板部（３）の突起物（４）を前記炊飯釜（８）の縁（９）の内側に当て前記炊飯釜（８）を横に倒す事で前記突起物（４）周辺にある多数の穴（５）や溝（６）より米を研いだ後の米の研ぎ汁を漉す。
【０００９】
器具（１）の把持部（２）を手（１０）で持ち、炊飯釜（８）の内側と前記器具（１）の甲板部（３）との間での水を入れた状態で何回もの米粒群の左右両方の圧縮で米を研ぎ、前記器具（１）の前記甲板部（３）の突起物（４）を前記炊飯釜（８）の縁（９）の内側に当て前記炊飯釜（８）を横に倒す事で前記突起物（４）周辺にある網（７）より米を研いだ後の米の研ぎ汁を漉す。
【実施例１】
【００１０】
把持部（２）と甲板部（３）とからなる器具（１）を造り、前記器具（１）の前記甲板部（３）に突起物（４）を設け、前記突起物（４）の周辺には米粒は通さないが米を研いだ後の米の研ぎ汁は通す穴（５）や溝（６）を多数設ける。
【実施例２】
【００１１】
把持部（２）と甲板部（３）とからなる器具（１）を造り、前記器具（１）の前記甲板部（３）に突起物（４）を設け、前記突起物（４）の周辺には米粒は通さないが米を研いだ後の米の研ぎ汁は通す網（７）を設ける。
【符号の説明】
【００１２】
１    器具
２    把持部
３    甲板部
４    突起物  
５    穴
６    溝
７    網
８    炊飯釜
９    炊飯釜の縁
１０    手
【図１】
2011045396.tif 000003
【図２】
2011045396.tif 000004
【図３】
2011045396.tif 000005
(57)【要約】【課題】    従来のペットシートは、平面シートのため、ペットの排泄物がペットシートの領域からはみだし、ペットトイレ等を汚すことがある。【解決手段】    ペットシートの周囲にガード壁を形成して、ペットの排泄物をペットシート内に閉じ込め、ペットトイレや周囲を汚すのを防止する。【選択図】図２
2011045353.tif 000002
【特許請求の範囲】
【請求項１】
下面防水シート１と透液性の上面シート３の間に吸収体２を配置した積層シートの周囲に、多面の連続したガード壁４を設け、ガード壁４の構成面に設けた折れ線８により、ガード壁４を倒し、また、立たせることのできるペットシート。
【請求項２】
下面防水シート１と透液性の上面シート３の間に吸収体２を配置した積層シートの周囲に、多面の連続したガード壁４を設け、ガード壁４の構成面を薄面６と厚面７により作成して、ガード壁４を倒し、また、立たせることのできるペットシート。
【請求項３】
下面防水シート１と下面防水シート１の周囲に多面の連続したガード壁４を一枚の防水シートの折り加工により、一体形成した請求項１記載のペットシート。
【発明の詳細な説明】
【技術分野】
【０００１】  本発明は、ペット等のペットシートに関するものである。
【背景技術】
【０００２】  従来のペットシートは透液性の上面シート３と吸液性の吸収体２、そして、下面防水シート１により構成されている（例えば、特許文献１参照。）
【先行技術文献】
【特許文献】
【０００３】
【特許文献１】  特開２００９−０１１１８０号  公報
【発明の概要】
【発明が解決しようとする課題】
【０００４】  従来のペットシートでは、ペットトイレ底面のみに設置するため、ペットトイレの壁にペットの排泄物が飛散してペットトイレや周辺を汚すことがある。【０００５】  本発明は、従来の構造が持つ問題を解決しようとするものであり、ペットの排泄物が飛散してペットトイレを汚すのを防止することを目的とするものである。
【課題を解決するための手段】
【０００６】  上記の課題を解決するため、本発明ではペットシートの周囲に多面の連続したガード壁を形成し、ガード壁を構成する面に折れ線を設けてものである。【０００７】  また、第２の解決手段はペットシートの周囲に多面の連続したガード壁を形成し、ガード壁を構成する構成面を薄面と厚面により作成したものである。【０００８】  また、第３の解決手段は、下面防水シートと多面の連続したガード壁を一枚の防水シートで一体形成するものである。【０００９】  上記第１の課題解決手段による作用は次のとうりである。すなわち、ペットシートのガード壁を引き起こし、ガード壁がペットトイレ壁面をカバーする。【００１０】  上記第２の課題解決手段による作用は、上記第１の課題解決手段と同様である。【００１１】  上記第３の課題解決手段による作用は、上記第１の課題解決手段と同様である
【発明の効果】
【００１２】  上述したように本発明のペットシートは、ペットトイレ壁を覆い、ペットの排泄物がペットトイレ壁に飛散し接触するのを防止する。
【図面の簡単な説明】
【００１３】
【図１】第１の実施形態のたたんだ状態の斜視図である。
【図２】第１の実施形態の使用時の斜視図である。
【図３】第２の実施形態の使用時の斜視図である。
【図４】第３の実施形態の使用時の斜視図である。
【発明を実施するための形態】
【００１４】  以下、本発明を発明の実施形態に基づいて詳細に説明する
【００１５】  実施例について図面を参照して説明すると、図１〜図２のように、下面防水シート１と透液性の上面シート３の間に吸収体２を配置した積層シートの周囲に両側面と奥面の連続した３面からなるガード壁４の外周部を下面防水シート１の外周部と融着し、そして、ガード壁４の奥面に折れ線８を設ける。ガード壁４に設けた折れ線８により、ガード壁４を折りたたみ、又、ガード壁４として開いて立てることができる。たたんだガード壁４を開いて固定テープ９によりペットトイレの壁に固定すると、ペットの排泄物を逃さず吸収し、ペットトイレや周囲を汚すことを防止する。なを、ペットシートをペットトイレに固定するために、押さえ部５を設けている。
【００１６】  第２の実施例としては図３のように、下面防水シート１と透液性の上面シート３の間に吸収体２を配置した積層シートの周囲に連続したガード壁４を設け、ガード壁４の構成面を薄面６と厚面７により作成する。ガード壁４を薄面６の折れによりガード壁４を折りたたみ、又、ガード壁４として開いて立てることができる。なを、薄面６は伸縮性のある材料を使用しても良い。ガード壁４は構成面に取り付けた固定テープ９によりペットトイレ等に密着し、ペットトイレや周囲を汚すことを防止する。なを、ペットシートを固定するために、押さえ部５を設けている。
【００１７】  第３の実施例としては、図４のように、紙バッグ折により下面防水シート１とガード壁４を一枚の防水シートで一体形成し、下面防水シート１に吸収体２と透液性の上面シート３を載せてペットシートを形成し、ガード壁４の奥面に折れ線８を設ける。ガード壁４の奥面を立てることにより、側面も連動して立ち、ガード壁４は構成面に取り付けた固定テープ９によりペットトイレ等に固定させる。下面防水シート１と両側面と奥面が一体化しているため、ペットの排泄物を漏らすことなく吸収し、ペットトイレや周囲を汚すことを防止する。なを、ペットシートを固定するために、押さえ部５を設けているが、押さえ部５に固定テープ９を配置して、床に直接固定させてもよい。
【００１８】
【符号の説明】
【００１９】１  下面防水シート
２  吸収体
３  上面シート
４  ガード壁
５  押さえ部
６  薄面
７  厚面
８  折れ線
９  固定テープ
【図１】
2011045353.tif 000003
【図２】
2011045353.tif 000004
【図３】
2011045353.tif 000005
【図４】
2011045353.tif 000006
(57)【要約】【課題】珪藻土、木質破砕の多孔質体をもつ素材の状態を最大限に保持できる炭化物を焼成し、比表面積の大きい特性を活用し、保水性、吸着性、透水性、通気性等機能が十分発揮でき、さらには、塩素除去、除菌、消毒機能を特徴とした。しかも、多量安価な素材を粒状の細分化、分別化の工程でもって、適用用途に対応した汎用性の進化と向上を図る。【解決手段】多孔質の珪藻土、木質破砕から有益機能を効率よく発揮できる炭化物を備えた。本発明は、ミネラル成分補給効果、肥料濃度の和らげ効果のあるバラツキの少ない均質良質な培養土を提供でき、地域の天然資源の活用を視野に入れ、地域事業の育成、さらに地域産業開発となる。【選択図】なし【特許請求の範囲】
【請求項１】
珪藻土、木質破砕を焼成し、炭化物の粒状物を生成する工程を、用途に応じて均一粒状、もしくは異なる粒状、粉末を適用させ汎用性を図る培養土。
【請求項２】
上記工程は、珪藻土、木質破片を１，０００度以下の温度で焼成し、特に２ｍｍアンダーに分別、炭化することを特徴とした培養土。
【請求項３】
上記粒状物集団を炭化した炭化物は、焼成珪藻土９０から４０重量％で炭化木質破片１０から６０重量％の培養土。
【請求項４】
請求項１、２、３の炭化物が用途適用に粉末混合、分別混合してなる培養土及び適用汎用が本発明の趣旨構造を逸脱しない範囲の変更は本発明に含まれる。
【発明の詳細な説明】
【技術分野】
【０００１】本発明は、珪藻土、木質破砕の天然素材を炭化物とする培養土に関し、育苗培養土、水耕栽培、屋上緑化、観葉植物等の有効使用を可能とした良質な培養土に関する。
【背景技術】
【０００２】従来、有機，無機性の廃棄物を活用とした培養土を植物育成に用いてきたが、排出種類の多種類、不均質、異なる発生場所による混合質体は、組成、製造過程においてのバラツキの発生は免れない。さらに廃棄物のリサイクル化とした培養土には、成分、効果に不確定要素がある。
【発明の開示】
【発明が解決しようとする課題】
【０００３】培養土が、化学製品である場合は、使用前の在庫時や使用後の処理に経済上および環境上に難点がある。【０００４】炭化物を高温化に活用する場合に、より微細に、より多くの表面積をもって燃焼することが必要である。【０００５】天然素材の珪藻土、木質破砕の素材を基材にした炭化物としての活用は、安定した均質の性能、成分の良質な培養土が提供できる。
【課題を解決するための手段】
【０００６】焼成珪藻土、木質破片の多孔質体、細孔構造部分に炭化物を付着させることにより多孔質体を基材とした炭化物を製造することが出来る。【０００７】本発明の用剤機能は、表面積の大きさが、保水性、吸着性、透水性、通気性、さらには、塩素除去機能、除菌機能、消毒機能とその効果の活用を特徴とした。
【発明の効果】
【０００８】本発明は、珪藻土、木質破砕素材の多孔質と表面積の大きさの特徴を活用とし、炭素炭化物を付着させる技術は高性能が発揮され、安定供給を可能とし、経済負担も少なく、しかも製造工程は特別な技術を要しないのが特徴。【０００９】本発明の炭化物多孔質体に、生菌、各種微生物、バイオ技術剤等用材を含浸させることにより、汎用性が図れる。【００１０】埋蔵量の多い珪藻土、廃棄物の木質破砕は、安定供給が可能であり、しかも安価で有る物を用いて無い物をつくることを特徴とした。【００１１】本発明の原料は天然素材成分であり有害物質は発生しない、特有の微細空隙が保持された状態で炭化されることから多孔質体を保持することができる。【００１２】本発明の製造技術は、高度技術を要しない混合成形であり、先進的な環境浄化と産業上の利用に貢献する。
【発明を実施するための最良の形態】
【００１３】本発明品は加熱によって製品となる。
安定供給のできる天然素材の利活用で環境に優しいのが特徴である。【００１４】炭化物の混合成形であり付着することでの形態である。【００１５】多孔質体に生菌、各種微生物、バイオ技術剤を含浸させることの単純さと合理的な成形製造によって良質な培養土が特徴。【００１６】この実施例については多孔質体の細孔構造や表面化学特性の部分に炭素を付着とした特異性の吸着剤であるが、有る物を用いて無い物をつくる  発明に関する技術を特徴する。
【産業上の利用可能性】
【００１７】本発明の実施に係わる炭化物の製造方法は、珪藻土、木質破砕を焼成して炭化した炭化物の製造方法である。【００１８】珪藻土、木質破砕等を用途に応じて粉砕機を用いて粒状物を細分化し集団粒にする。【００１９】用途に応じた炭化物の適用、汎用性は大幅な利活用ができ向上させることができ、常備するで有能性が発揮される。【００２０】本発明は、環境の負荷を考慮した培養土に係わるものとしたが、適用汎用性が図られ、例えば、堆肥に混合することにより品質の向上、畜舎の消臭、汚水浄化、農業地の土壌改良剤、菌床改良剤、比重の軽さ活用から融雪剤等としての使用方法にも有用である。
(57)【要約】      （修正有）【課題】干し柿は従来、冬季間のみ市場に流通。冷凍では年間を通じて流通可能となったが、常温の商品は少ない。そこで、常温で長期間保存可能な一般流通向けの干し柿を使った製品およびその製造方法を提供する。【解決手段】原材料の干し柿の蔕、種を取り除き、９０℃以上の酸性熱水で１０〜６０秒間、加熱殺菌処理を行い、さらにアルコール度数５０〜８０％の酒精に３〜１０分間、浸漬させて、殺菌処理を行う。又はアルコール度数２０〜５０％の酒類に２０分〜３時間、浸漬させ殺菌処理を行う。冷風乾燥した後、カットしてさらに温風乾燥、上掛け用粉糖をまぶした後包装を行う。【選択図】図１
2011045347.tif 000002
【特許請求の範囲】
【請求項１】
干し柿を原料とすることを特徴とする常温保存可能な製品
【請求項２】
干し柿を原料とすることを特徴とする常温保存可能な製品の製造方法
【発明の詳細な説明】
【技術分野】
【０００１】  本発明は干し柿を原料とした食品の製法に関する。
【背景技術】
【０００２】  従来の干し柿を原料とした食品の製法に関する発明には、以下のようなものがあげられる。（特許文献１〜特許文献４）【０００３】
【特許文献１】特許公開２００７−１３５４７８干し柿スライス片の製造方法
【特許文献２】特許公開２００３−１８０２４１小片状にカットされた脱渋柿の製造法
【特許文献３】特許公開平６−１４７１９柿を原料とした菓子及びその製造方法
【特許文献４】特許公開２００７−２５２２５３乾燥脱渋柿及び該乾燥脱渋柿の製造方法
【発明の開示】
【発明が解決しようとする課題】
【０００５】  干し柿は主に１１月〜２月の冬季の伝統的な食品として古くから親しまれてきており、近年、冷凍保存により、季節を問わず干し柿を楽しめるようになった。【０００６】  しかし、常温で長期間保存可能な一般流通向けの干し柿を使った商品は少ない。【０００７】  その理由としては表面のブドウ糖結晶が吸湿して潮解してしまうことがあげられる。【０００７】  いくつか常温の干し柿は存在するが、乾燥度合いの高いものが多く、食感の観点からその風味と色合いを残した物は少ない。【０００８】  そこで、本発明においては、干し柿のやわらかさを保ったまま、酒精を用いた殺菌処理および温風乾燥をほどこすことで、常温でもべたつかず保管することができる、干し柿加工品の製造を目的とする。
【発明を実施するための最良の形態】
【０００９】  以下、本発明の実施の形態を図１に基づいて説明する。【００１０】市田柿を常温で蔕、種を取り除き、９０℃以上の酸性熱水で１０〜６０秒間、殺菌処理を行う。【００１１】アルコール度数５０〜８０％の酒精に３〜１０分間、浸漬させて、殺菌処理を行う。又はアルコール度数２０〜５０％の酒類に２０分〜３時間、浸漬させ殺菌処理を行う。【００１２】１２〜１８時間、冷風乾燥（１０〜１８℃）を行う。【００１３】大きさ５〜８ｍｍ程度にカットする。【００１４】温風（３０〜４０℃）で１２〜１５時間、乾燥させる。【００１５】上掛け粉糖を全面にまぶす。【００１６】包装を行う。【００１７】    以上が本発明による干し柿加工品の製造工程である。
【図面の簡単な説明】
【００１８】
【図１】干し柿加工品製造工程図
【図１】
2011045347.tif 000003
(57)【要約】【課題】香りの付けられる装身具において、装飾体の一部のみに香りの付けられる孔の形成できる素材をもちいることによって、自由なデザインの展開でき、かつ香水などを塗布した場合においても液体の漏れなどの心配のない香りの付けられる装身具を提供する。【解決手段】装身具が孔の形成できる素材で作られた装飾体を設置することのできるスペースを持った装飾体に、孔の形成できる素材で作られた装飾体とを設置し結合させた装身具。【選択図】図１
2011045507.tif 000002
【特許請求の範囲】
【請求項１】
装飾体の一部分のみに孔を形成できる材料を用いた香りの付けられる装身具の製造方法。
【請求項２】
孔を形成できる素材と装飾体本体の大部分が接合されている請求項１に記載の装身具の製造方法。
【請求項３】
孔を形成できる素材と装飾体本体の一部分が接合されている請求項１に記載の装身具の製造方法。
【発明の詳細な説明】
【技術分野】
【０００１】
この発明は香りが付けられる装身具において、その機能性とデザイン性を高め、香りが付けられる装身具を誰でも安全に抵抗感なく身に着けられるようにするための、香りを付けられる装身具の製造方法に関するものである。
【背景技術】
【０００２】
装身具に香りを付けるという試みは以前から行われていて、装身具を製造する際に貴金属素材に意図的に孔を設け、そこへ香水など香りのする液体を入れるという方法がとられている。
【０００３】
特許公開平５−１７９３７４のように、装身具を形成する貴金属素材を微細な球状にして、焼成をするという方法が提案されている。この製法をすることによって、その孔に香水などが入り、香りが付けられる装身具の製造が可能ということである。
【０００４】
しかしながら、特許公開平５−１７９３７４は、完成した装身具のデザイン部分全体がこの製造方法によって作られているため、自由なデザインで作れない、孔を残す必要があることから装飾体を完全な鏡面にすることができない、強度が小さいため宝石がセッティングできないなどの製造上の問題や、装飾体や下部に香水が漏れ出したりするという問題が生じている。
【先行技術文献】
【特許文献】
【０００５】
【特許文献１】特許公開平５−１７９３７４
【発明の概要】
【発明が解決しようとする課題】
【０００６】
この発明は前述した問題点を解決するものであり、香りが付けられる装身具において、そのデザインに対して完全な鏡面研磨が可能であり、香水の漏れなどもすることがなく、宝石などのセッティングも可能な香りの付けられる装身具の製造方法を提供しようとするものである。
【課題を解決するための手段】
【０００７】
以上の課題を解決するため、この発明は一つのデザインの装飾体において、香りが付けられる部分を装飾体の一部分のみとし、前述の問題点を解決し自由なデザインで製造をすることができることを特徴とするものである。
【０００８】
この発明は一つのデザインの装身具において、香りの付けられる部分が装飾体の一部分に限られていることを特徴とする。
【０００９】
この発明の装飾体の一部分の香りの付けられる部分は特許公開平５−１７９３７４の焼成材料か、装飾体に孔を設けることのできる素材を使用していることを特徴とする。
【発明の効果】
【００１０】
この発明によれば、香りの付けられる装身具において、鏡面研磨ができない、香水が漏れる、宝石がセッティングできないという問題点を取り除き、自由なデザインで製造可能な、着ける人も安心できる香りの付けられる装身具を提供することが可能となった。
【図面の簡単な説明】
【００１１】
【図１】この発明の全体図である。
【発明を実施するための形態】
【００１２】
図１は本発明の香りの付けられる装身具である。
図１に示すように、香りの付けられる装身具１０は装飾体１と、香りの付けられる部分２から形成されている。
【００１３】
香りの付けられる装身具１０は貴金属もしくは金属製であり、指輪やイヤリング、ブローチ、ブレスレットなど全ての装身具で作ることができる。
【００１４】
装飾体１は一般的に使用されている素材なので、鏡面研磨や宝石のセッティングなどのあらゆる加工ができる。
【００１５】
香りの付けられる部分２は孔が形成できる素材なので、香水などの香りのする液体を浸み込ませることができるが、鏡面加工などはできない。
【００１６】
図２は本発明の実施形態を示す図である。
図２に示すように、装身具１０は装飾体１と装飾体２とで形成されている。
【００１７】
図２のように、装飾体１には装飾体２を設置するためのスペース３があらかじめ設けられていて、装飾体１と装飾体２はそれぞれ異なる製法で別々に作られる。
【００１８】
装飾体１に設けられた装飾体２を設置するスペース３に、装飾体２を設置する。
【００１９】
装飾体１に設けられた装飾体２を設置するスペース３は、装飾体２の大きさよりも若干大きめに作られていて、装飾体２を設置した後、その周囲の装飾体１の地金部分を装飾体２側に押し寄せて両者を固定する。
【００２０】
装飾体１と装飾体２の固定方法は、上述した方法の他に、装飾体１と２をレーザーで溶接したり、装飾体２の孔をふさがない程度の微量のろう材を使用したろう付けなどをしたり、装飾体１に設けた装飾体２を設置するスペース３と装飾体２の大きさをほぼ同じ程度に制作して、強制的に挿入させて固定させるなどの方法がある。
【００２１】
このような工程を経て製造された装身具１０は、一般的な装身具と同じようなデザインが展開でき、強度も十分で、さらに香りも付けられる機能的なものとなった。
【産業上の利用可能性】
【００２２】
この発明の香りが付けられる装身具は、自由なデザインが展開できることとなり、鏡面仕上げや宝石のセッティングが可能になった。さらには、香水などの液体が漏れ出す心配もほとんどなくなり、多くの装身具愛好家に抵抗感なく装着してもらえるものであり、装身具市場に新たに付加価値の高い製品を提供できるものである。
【符号の説明】
【００２３】
１  装飾体１
２  装飾体２
３  装飾体２設置スペース
【図１】
2011045507.tif 000003
(57)【要約】      （修正有）【課題】従来の下駄はデザイン性が低く他の履物に比べ見劣りするものであった。焼印や、レーザー加工などはあったが他の履物のような色を付けた鮮やかなものがなかった。【解決手段】下駄の鼻緒をつける前の工程で下駄表面に直接印刷し、その後鼻緒を付ける事で解決した。または、鼻緒をつける前の工程で、すでに印刷された木皮を下駄表面に貼り付け、その後鼻緒をつける事で解決した。【選択図】図１
2011045528.tif 000002
【特許請求の範囲】
【請求項１】
下駄部の表面に印刷した木皮を貼り合わせて成る事を特徴とする下駄
【請求項２】
前記下駄部の表面に直接印刷を施した事を特徴とする下駄
【発明の詳細な説明】
【技術分野】
【０００１】
下駄の表面に印刷をかける技術分野である。          
【背景技術】
【０００２】
従来、焼印や、レーザー加工などはあったが他の履物のような色鮮やかなものがなく、しかも下駄の表面に印刷をかけたものも無かった。
【発明の概要】
【発明が解決しようとする課題】
【０００３】
下駄部の表面に印刷して下駄を製造する事を課題とする。
【課題を解決するための手段】
【０００４】
下駄の鼻緒をつける前の工程で下駄表面に直接印刷し、その後鼻緒を付ける事で解決した。または、鼻緒をつける前の工程で、すでに印刷された木皮を下駄表面に貼り付け、その後鼻緒をつける事で解決した。
【発明の効果】
【０００５】
これにより他の履物同様の色鮮やかな下駄を制作でき、デザイン性も向上した。
【図面の簡単な説明】
【０００６】
【図１】本発明の製造工程であり、印刷した木皮を下駄本体に張る方法を示す。
【図２】本発明の製造工程であり、下駄本体に印刷する方法を示す。
【発明を実施するための形態】
【０００７】
図１では印刷した木皮を下駄本体に張る方法の製造工程を示し、図２では下駄本体に印刷する製造方法を示す。
【図１】
2011045528.tif 000003
【図２】
2011045528.tif 000004
(57)【要約】【課題】  磁石どうしの反発力を利用して回って発電する磁力反発発電機は、設置する磁石の角度のセッティングが、とてもシビアで、なかなかうまく回すのが難しかった。【解決手段】  そこで、魚雷の二重反転スクリューの様に、磁石の同極同志の反発力を利用して、一方の磁石を取り付けた円形回転体（ディスク）は時計回りに、もう一方のディスクは反時計回りに回転させてやる様にする事で磁石の角度セッティングのシビアさを緩和させる事が出来、だれでも容易に磁力反発発電機を組み立てられるのである。【選択図】図１
2011045229.tif 000002
【特許請求の範囲】
【請求項１】
磁石の同極同志の反発力を利用して回る二重反転構造のブレード（羽根）｛ブレードが互いに逆にねじれていて、一方が時計回り、もう一方が反時計回り｝を持つ無電力のディスクファン。
【請求項２】
上記の磁力反発二重反転ディスクファンの円周上の磁石の近くに、接触しそうで接触しない近接した所に鉄心入りコイルを複数本配置して発電機とした、磁力反発発電機。
発電機として、磁力反発二重反転ディスクを使う場合、ブレードがシャフト状になっている場合も特許請求の範囲に、含みます。
【発明の詳細な説明】
【技術分野】
【０００１】  魚雷の二重反転スクリューと磁石が同極どうしが互いに反発する事を応用したものである。
【発明の開示】
【発明が解決しようとする課題】
【０００２】  磁石どうしの反発力を利用して回って発電する磁力反発発電機は、設置する磁石の角度のセッティングがとてもシビアで、なかなかうまく回らせる事が困難である。
【課題を解決するための手段】
【０００３】  そこで、魚雷の二重反転スクリューの表面に互いに同極どうしになる様に磁石を取り付けてやれば、反発し合って、一方は時計回りに、もう一方は反時計回りに回転しだし、スクリューのピッチを変えれば角度に応じて、速く回転したり、遅く回転したりする。つまり、磁石の角度セッティングのシビアさを緩和してくれるのである。磁力反発二重反転ディスク方式とし、鉄心入りのコイルを周りに配置すれば、磁力反発発電機となり、この磁力反発発電機はだれでも容易に組立てられ普及する事になる。
【発明の効果】
【０００４】  この２枚から成る磁力二重反転ディスクは、互いに反発し合い絶えず回転しつづけるので、無電力換気扇、無電力扇風機、無電力ＣＰＵファン等として使用する事が出来る。たとえば、駅のトイレの換気扇として、電気代￥０円で２４時間回り続けるので、とても、エコロジーである。また、この磁力二重反転ディスクの周囲に、鉄心入りコイルを複数本配置すれば磁力発電機となり、ＣＯ２を全く出さず、２４時間静に発電してくれる。これを車にたくさん乗せれば電気自動車になり、燃料電池車を凌賀する。電導ＹＳ−１１に乗せれば地球を回り続ける空中空母と化し、構造がシンプルなので単３単４レベルの大きさで製作すれば、充電不要の携帯電話が作れる。電動７４改戦車に乗せれば、海底戦車となり、大陸へ海中から上陸可能となるであろう。各家庭に設置すれば、各家庭が発電所となるのである。ＷＴＣビルに設置して発電ビルにする事も出来る。
【発明の実施するための最良の形態】
【０００５】  （株）仁野製作所を創業し、量産体制を構築する。新産業を開拓するのである。
【実施例】
【０００６】  研究所も併設し、量産しながら、製品の改善、開発も実施、様々なニーズにタイムリーに応えていく。（色々な磁力発電機のパターンを考えている。）
【図面の簡単な説明】
【０００７】
【図１】上面図  ａ：中心軸  ｂ：ベアリング  ｃ：ブレード  ｄ：円筒形磁石  Ｅ：外周リング
【図２】側面図  符号は図１と同じ。矢印は回転方向。磁石は同極どうし反発する様外周リングに斜めにセット。
【図３】側面からブレードを見た図。符号は図１と同じ。矢印は回転方向。ブレードが互いに逆にねじれている。
【図４】磁力反発二重反転ディスクを垂直に立て回転させながら円周上に接解させないで置いた鉄心入りコイルで発電するしくみを表している図。Ｆ：鉄心入りコイル
【図１】
2011045229.tif 000003
【図２】
2011045229.tif 000004
【図３】
2011045229.tif 000005
【図４】
2011045229.tif 000006
(57)【要約】【課題】  ヒュウガトウキの枝葉部分を美味しく食べ易い野草料理とすることができる苦味除去方法を提供する。【解決手段】  真水に塩分濃度２.５％〜３.５％になるように食塩を溶解し、次いで、ヒュウガトウキの葉・柄を十分に水洗した後、前記塩水に投入し煮熟処理を行う。煮熟の初期温度は２０℃程度で、時間の経過と共に加熱温度を上げ、沸騰してから１０分間程度茹でる。その際、苦味吸着材として、加熱固化した炭水化物加工食品である茹で揚げたウドンを投入する。煮熟処理終了後、茹で上がったヒュウガトウキを氷水に浸漬し、そのまま冷却し、その後一昼夜（２０時間程度）流水に晒してアク抜きを行い９５％程度の苦味成分が除去された食材としてのヒュウガトウキの枝葉を得た。【選択図】  なし【特許請求の範囲】
【請求項１】
塩分濃度２.５％〜３.５％の塩水中にヒュウガトウキの枝葉を投入し、加熱固化した炭水化物加工食品と混合して煮熟沸騰させた後、煮熟したヒュウガトウキの枝葉を分離して氷水に浸漬して冷却し、流水にて灰汁成分を流出させることを特徴とするヒュウガトウキの苦味除去方法。
【請求項２】
炭水化物加工食品が麺類であることを特徴とする請求項１記載のヒュウガトウキの苦味除去方法。
【請求項３】
炭水化物加工食品がウドンであることを特徴とする請求項１又は請求項２記載のヒュウガトウキの苦味除去方法。
【発明の詳細な説明】
【技術分野】
【０００１】
本発明は、薬理作用を有するヒュウガトウキの枝葉を食材として利用する際、その苦味を除去する方法に関するものである。
【背景技術】
【０００２】
ヒュウガトウキは宮崎県高千穂地方の山間部で育つセリ科の多年植物であり、イヌトウキ（学名：Ａｎｇｅｌｉｃａ  ｓｈｉｋｏｋｉａｎａ）に属する品種で、その根茎部から単離されたイソエポキシ−プテリキシンは、アレルギーや炎症、特に気管支喘息、皮膚アレルギー等の治療に有効であることが知られている（特開昭６３−１５０２８７号公報）。また、血小板凝集抑制機能による動脈硬化の改善作用やインスリンが出ているのに血糖値が下がらない、２型糖尿病を予防する作用があることも報告されている。
【０００３】
通常、ヒュウガトウキは生又は乾燥した根茎や枝葉を粉砕した粉末の状態で服用されるが、極めて強い苦味を呈し、摂取に甚だ困難を極めるという問題があった。したがって、ヒュウガトウキの摂取が健康に資することは周知であるものの、特定の医薬加工品における摂取にのみ限られていた。
【０００４】
従来から日本山人参（イヌトウキ）の根、茎部、葉部を抽出処理し、３‘（Ｒ），４’（Ｒ）−３‘−エポキシアンゲロイルオキシ−４’−アセトキシ−３‘，４’−ジヒドロセセリンを取得する方法（特許文献１及び特許文献２参照）。また、その根、茎部を酢酸エチルで抽出し、得られた抽出物をシリカゲルクロマトグラフィーにかけ、ヘキサン−酢酸エチルを溶出し、溶離した画分を更にシリカゲルクロマトグラフィーにより精製して、抗炎症剤、特に気管支喘息、皮膚アレルギーに有効な医薬剤であるイソエポキシ−プテリキンシンを単離したもの（特許文献３参照）が知られている。
【先行技術文献】
【特許文献】
【０００５】
【特許文献１】特開昭６０−２６０５１５号公報
【特許文献２】特開平０７−０５３５６０号公報
【特許文献３】特公平０５−４８２３３号公報
【発明の開示】
【発明が解決しようとする課題】
【０００６】
しかしながら、医薬品としては、主にこれらトウキ類の根茎を利用するため、連作が困難で栽培コストが嵩み、製品自体も高価であった。そこで、根茎部を利用することなく、葉枝の使用にのみ限定すれば、多年植物であるヒュウガトウキの株を繰り返し利用することができ、採取も容易で需要者に低コストで提供できる。一方、美味しく可食可能な野草料理として提供されることも切望されていた。本発明は、ヒュウガトウキの枝葉部分を美味しく食べ易い野草料理とすることができるヒュウガトウキの苦味除去方法を提供することを目的とするものである。
【課題を解決するための手段】
【０００７】
このため、本発明のヒュウガトウキの苦味除去方法は、塩分濃度２.５％〜３.５％の塩水中にヒュウガトウキの枝葉を投入し、加熱固化した炭水化物加工食品と混合して煮熟沸騰させた後、煮熟したヒュウガトウキの枝葉を分離して氷水に浸漬して冷却し、流水にて灰汁成分を流出させることを第１の特徴とする。また、投入する炭水化物加工食品が麺類であることを第２の特徴し、さらに投入する炭水化物加工食品がウドンであることを第３の特徴とする。
【発明の効果】
【０００８】
本発明によれば、以下の優れた効果がある。
（１）ヒュウガトウキ特有の極めて強い苦味を除去して、野草料理として美味しく食することができ、老若男女を問わず健康に資するヒュウガトウキの有効成分の摂取が可能になる。
（２）葉枝の使用にのみ限定すれば、多年植物であるヒュウガトウキの株を繰り返し利用することができ、採取も容易で需要者に低コストで提供できる。
【発明を実施するための最良の形態】
【０００９】
本発明の実施の形態を以下に示す実施例に基づいて説明する。
【実施例】
【００１０】
先ず、真水に塩分濃度２.５％〜３.５％の食塩を溶解し、塩分濃度が海水程度の塩水を製造した。次いで、ヒュウガトウキの葉・柄を十分に水洗した後、前記塩水に投入し煮熟処理を行った。煮熟の初期温度は２０℃程度で、時間の経過と共に加熱温度を上げ、沸騰してから１０分間程度茹でる。その際、苦味吸着材として、加熱固化した炭水化物加工食品である茹で揚げたウドンを投入する。ウドンの投入量としては、塩水１リットルに対して８０〜１００ｇが好ましい。尚、本実施例では投入する好適な炭水化物加工食品をウドンとしたが、素麺やスパゲティ等の単位容積当たりの表面積が広い麺類でもよい。
【００１１】
煮熟処理終了後、茹で上がったヒュウガトウキを氷水に浸漬し、そのまま冷却し、その後一昼夜（２０時間程度）流水に晒してアク抜きを行い９５％程度の苦味成分が除去された食材としてのヒュウガトウキの枝葉を得た。これを、てんぷら、味噌漬け、佃煮に調理し、摂取の容易さを官能的に調べた。
【００１２】
被験者は男女各１０人（合計２０人）に苦味除去した料理を試食してもらった。全員から抵抗なく食べ易く美味しいとの回答を得た。ヒュウガトウキには、主として抗動脈硬化作用、坑炎症、坑アレルギー作用、坑ガン作用、坑ストレス作用、坑糖尿病作用などがある。とくに、糖尿病やアレルギー性疾患、肝機能障害などに有効であるとされている。また健康補助機能として、生体防御、疾病の防御と回復、生体リズムの調節、老化抑制効果がある。
【００１３】
本発明に係るヒュウガトウキは、５％程度残留するほのかな苦味が味覚され、これを旨みと感じる人もいる。また、漢方薬のような薬臭を嫌悪する人もあることから１５歳〜３５歳、３６歳〜５５歳及び５６歳〜７５歳の男女各１０人（合計３０人）に試食してもらい、苦味、旨み及び薬臭について官能試験を行った。結果は表１のとおりであった。
【００１４】
【表１】
2011045264.tif 000002
(57)【要約】【課題】海洋汚染を発生させることなく漁網に付着した海藻類を良好に除去する漁網洗浄剤及び漁網洗浄方法を提供すること。【解決手段】本発明では、漁網に付着した海藻類を除去するための漁網洗浄剤において、海藻類に含有される不溶性のアルギン酸化物を炭酸ナトリウムで置換反応させて水溶性のアルギン酸化物とすることにした。また、本発明では、漁網に付着した海藻類を除去するための漁網洗浄方法において、炭酸ナトリウムを含有する漁網洗浄剤に漁網を含浸させ、海藻類に含有される不溶性のアルギン酸化物を炭酸ナトリウムで置換反応させて水溶性のアルギン酸化物として、漁網から海藻類を除去することにした。さらに、本発明では、前記漁網洗浄剤に過炭酸ナトリウムを含有させることにした。【選択図】なし【特許請求の範囲】
【請求項１】
漁網に付着した海藻類を除去するための漁網洗浄剤であって、
海藻類に含有される不溶性のアルギン酸化物を炭酸ナトリウムで置換反応させて水溶性のアルギン酸化物とすることを特徴とする漁網洗浄剤。
【請求項２】
過炭酸ナトリウムを含有することを特徴とする請求項１に記載の漁網洗浄剤。
【請求項３】
漁網に付着した海藻類を除去するための漁網洗浄方法であって、
炭酸ナトリウムを含有する漁網洗浄剤に漁網を含浸させ、海藻類に含有される不溶性のアルギン酸化物を炭酸ナトリウムで置換反応させて水溶性のアルギン酸化物として、漁網から海藻類を除去することを特徴とする漁網洗浄方法。
【請求項４】
前記漁網洗浄剤が過炭酸ナトリウムを含有することを特徴とする請求項３に記載の漁網洗浄方法。
【発明の詳細な説明】
【技術分野】
【０００１】
本発明は、漁網に付着した海藻類を除去するための漁網洗浄剤及び漁網洗浄方法に関するものである。
【背景技術】
【０００２】
従来より、漁網は、海水中で使用される間に海藻類が付着しやすく、使用後に付着した海藻類等を除去する洗浄作業が必要となる。
【０００３】
また、漁網のうちでも海苔等の海藻類の養殖で使用される養殖網では、養殖した海藻類を収穫した後に、養殖網に残存する海藻類を除去する洗浄作業が必要となる。
【０００４】
そのため、従来においては、漁網に高圧で洗浄液を噴射して、漁網に付着した海藻類等を除去するようにしていた（たとえば、特許文献１参照。）。
【先行技術文献】
【特許文献】
【０００５】
【特許文献１】特開２００９−１１２２５７号公報
【発明の概要】
【発明が解決しようとする課題】
【０００６】
ところが、上記従来の漁網の洗浄においては、漁網から海藻類を完全に除去することが困難であり、洗浄後に残存する海藻類が腐敗して悪臭を発生するといった問題が起こっていた。
【０００７】
また、漁網に付着した海藻類を有機洗浄剤で溶解させる方法も考えられるものの、洗浄に使用した有機洗浄剤が漁網に残留してしまい、残留した有機洗浄剤が次回の使用時に海中を汚染してしまうおそれがある。
【課題を解決するための手段】
【０００８】
そこで、請求項１に係る本発明では、漁網に付着した海藻類を除去するための漁網洗浄剤において、海藻類に含有される不溶性のアルギン酸化物を炭酸ナトリウムで置換反応させて水溶性のアルギン酸化物とすることにした。
【０００９】
また、請求項２に係る本発明では、前記請求項１に係る本発明において、過炭酸ナトリウムを含有することにした。
【００１０】
また、請求項３に係る本発明では、漁網に付着した海藻類を除去するための漁網洗浄方法において、炭酸ナトリウムを含有する漁網洗浄剤に漁網を含浸させ、海藻類に含有される不溶性のアルギン酸化物を炭酸ナトリウムで置換反応させて水溶性のアルギン酸化物として、漁網から海藻類を除去することにした。
【００１１】
また、請求項４に係る本発明では、前記請求項３に係る本発明において、前記漁網洗浄剤が過炭酸ナトリウムを含有することにした。
【発明の効果】
【００１２】
そして、本発明では、以下に記載する効果を奏する。
【００１３】
すなわち、本発明では、炭酸ナトリウムを含有する漁網洗浄剤に漁網を含浸させ、海藻類に含有される不溶性のアルギン酸化物を炭酸ナトリウムで置換反応させて水溶性のアルギン酸化物として、漁網から海藻類を除去することにしているために、残留物質による海洋汚染を発生させることなく、漁網から海藻類を良好に除去することができる。
【００１４】
特に、漁網洗浄剤に過炭酸ナトリウムを含有させた場合には、漁網の漂白、除菌、消臭をも同時に行うことができる。
【発明を実施するための形態】
【００１５】
以下に、本発明に係る漁網洗浄剤及び漁網洗浄方法の具体的な構成について説明する。
【００１６】
漁網洗浄剤は、炭酸ナトリウム（Na2CO3）を含有したものを用い、好ましくは、過炭酸ナトリウム（２Na2CO3・３H2O2）を含有したものを用いる。
【００１７】
たとえば、漁網洗浄剤は、粉末状の炭酸ナトリウム（Na2CO3）と粉末状の過炭酸ナトリウム（２Na2CO3・３H2O2）とを重量比で１：１の割合で混合し、これを水に溶かして水溶液としたものを用いることができる。
【００１８】
漁網洗浄方法としては、上記漁網洗浄剤を貯留した容器に漁網を投入し、漁網を漁網洗浄剤に所定時間（たとえば１０分間）含浸させる。
【００１９】
漁網に付着した海藻類は、アルギン酸を多量に含有しており、このアルギン酸は、カルシウム等の多価の陽イオンと結合してアルギン酸カルシウム等の不溶性の塩を形成している。
【００２０】
そして、海藻類が付着した漁網を炭酸ナトリウムを含有する漁網洗浄剤に含浸させると、アルギン酸カルシウム等のアルギン酸化物となって不溶性の塩を形成する陽イオンが炭酸ナトリウムに含有されるナトリウムイオンとイオン交換による置換が行われ、その結果、アルギン酸ナトリウム等の水溶性のアルギン酸化物となり、漁網洗浄剤中に溶出させることができる。
【００２１】
これにより、漁網から付着した海藻類を良好に除去することができる。しかも、漁網洗浄剤に有機物質を含有していないために、洗浄後に漁網に有機物質が残留することがなく、次回の使用時に有機物質が海中に流出するおそれがなく、海洋汚染を発生させることがない。
【００２２】
特に、漁網洗浄剤に過炭酸ナトリウムを含有する場合には、水溶液化させた際に過炭酸ナトリウム（２Na2CO3・３H2O2）が炭酸ナトリウム（Na2CO3）と過酸化水素水（H2O2）とに分離し、さらに、過酸化水素水（H2O2）が水（H2O）と酸素（O2）とに分離することになる。
【００２３】
そして、過炭酸ナトリウムから分離した炭酸ナトリウムは、上記したようにイオン交換によって不溶性のアルギン酸化物を水溶性のアルギン酸化物とし、漁網から海藻類を除去することができる。
【００２４】
しかも、過炭酸ナトリウムから最終的に分離した酸素は、その酸化力によって漁網を漂白し、除菌し、消臭することができる。
【００２５】
以上に説明したように、本発明では、炭酸ナトリウムを含有する漁網洗浄剤に漁網を含浸させ、海藻類に含有される不溶性のアルギン酸化物を炭酸ナトリウムで置換反応させて水溶性のアルギン酸化物として、漁網から海藻類を除去することにしているために、残留物質による海洋汚染を発生させることなく、漁網から海藻類を良好に除去することができる。
【００２６】
特に、漁網洗浄剤に過炭酸ナトリウムを含有させた場合には、漁網の漂白、除菌、消臭をも同時に行うことができる。
(57)【要約】      （修正有）【課題】加熱部に落ちる肉汁を殆ど取り除き、ＣＯ２の削減や油煙が減ることで室内の空調も削減でき、肉や魚を美味しく快適な環境で食することができる。【解決手段】中央が高く周囲に向かって傾斜をつけた板に無数の突起状の孔２を設け、焼き物から出る汁を下の加熱体に落さないで孔２の周囲を流れ板の周囲に設けた液溜め用の溝３に流れる構造とし、焼物から出る汁は孔２の無い部分つまり突起の谷の部分に落ち、突起状の孔２から汁が落ちることは無い、必要に応じて汁を抜く口４や、網１の支持に脚５を取り付けて使用する、電源が不要で手軽に使用でき経済的である。【選択図】図１
2011045680.tif 000002
【特許請求の範囲】
【請求項１】
１枚の中央が高く周囲に向かって傾斜をつけた板に無数の突起状の孔を設け、焼き物から出る汁を下の加熱体に落さないで孔の周囲を流れ板の周囲に設けた液溜め用の溝に流れる構造を特長とした焼網である。
【請求項２】
焼網周囲の溝から汁を抜くための口を設けた請求項１の焼き網である。
【請求項３】
焼き網を支持するための脚を設けた請求項１の焼き網である。
【請求項４】
液溜めから流れ出た汁を受ける容器を備えた請求項１の焼き網る。
【発明の詳細な説明】
【技術分野】
【０００１】本発明は国内一般に使用されている肉や魚、野菜、などを焼き、食する時に使用する網である。【０００２】従来の焼き網は単純に針金で格子状に編んだものが多く、肉や魚を焼いた時に肉や魚から出た油分交じりの汁が下の加熱部に落下し、汁から出た油分が燃え、煙や一酸化炭素などが室内に充満し特に加熱に炭火を用いた場合に落下した油が燃え、焼き物が煤臭く炭火から発生する遠赤外線の効果である旨味が損なわれ、又大量の油煙が発生し快適に食することができない。
【発明の開示】
【発明が解決しようとする課題】
【０００３】上記記載の油煙の出る原因は焼き物が温度上昇に伴い焼き物内部の油分が落下し過熱体に触れ発煙することが殆どである、この油分を如何にして落下させないで取り除くことができるかが課題であり実験と研究を進めた。
【課題を解決するための手段】
【０００４】実験に取り入れた方法は鉄板に５ｍｍ程の孔を約１ｃｍ間隔に千鳥状に開け、その各孔を下から上に押し出し突起状の孔にし、板の周りには焼き物から出る汁が溜まるように溝を設け中心部から周辺に高低差をつけたもので実験した、約３センチ立方の肉の脂身を数個網にのせ炭火で焼く、予想通り肉汁は網の孔から下の加熱部には落ちず山の底部つまり孔の無い部分に落ち、次第に各孔の周囲を伝わり板周辺の溝へと流れ出た、この現象は孔の開放部は孔の無い部分に比べ僅かに熱の伝わりが早く、又僅かに圧が掛かり僅かに薄皮が張ることが原因で、突起孔の突起の角度も影響し油が流れ出る瞬間は孔の無い部分に先に落ちやすく、これを繰り返すうちに肉の内部に肉汁が通る道がつき最後まで汁を下の加熱体に落とすことなく美味しく焼くことができる、焼いた後の脂身は厚さ１ｃｍ以下になった。
【発明の効果】
【０００５】上記記載の網を使用することで加熱部に落ちる肉汁を殆ど取り除くことができ、焼肉店をはじめ、あらゆる分野の店や又個人で使用でき、ＣＯ２の削減や油煙が減ることで室内の空調も削減でき、肉や魚を美味しく快適な環境で食することができる。
【発明を実施するための最良の形態】
【０００６】以下本発明の実施の形態を図面に基づき詳細に説明する。図１は焼き網の平面図と立面図であり、図２は焼き物例えば肉などを網の上に乗せ油分が流れる状態の説明図である本発明は図１の突起状の孔２を設けた網１に液溜まり３が網１の周囲に一体化した焼き網である、必要に応じて網を支持する脚５や、溜まった汁を取り出すための排液口４を網の周囲に取り付けることができる、図１では脚の内側にコンロを設置した図である。
例えば図２の肉１０を網にのせ、コンロ７の炭火８で発生する熱９が肉１０に伝わり、肉汁が温度上昇に伴い網の上に流れ出る、この時肉汁は孔の無い部分１４から流れ角度１１を設けた突起状の孔２からは流れない、流れ出た肉汁は孔の無い部分のみに流れ周囲の液溜まり３に溜まり、必要に応じて液回収容器６を網又はコンロに取り付けることができる、網のサイズや形には決まりが無く、突起状の孔の形、面積、突起の角度、高さ、突起と突起の間隔にも制限はなく、又材質は鉄、ステンレス、アルミ、銅、チタンなどの金属でも、金属にテフロン加工を施したものやセラミックなど陶器であっても制限はない。
【図面の簡単な説明】
【０００７】
【図１】焼き網の平面図とコンロをセットした立面図である
【図２】突起状孔から焼き物から出る肉汁が流れ出る説明図である。
【符号の説明】
【０００８】１    焼き網
２    焼き網に開けられた突起状の穴
３    焼き網の周囲に一体化された液溜
４    液溜の一部に設けられた排液口
５    焼き網を支える脚
６    必要に応じて脱着可能な汁回収容器
７    コンロ
８    加熱用炭、他の加熱体
９    加熱体から発生する熱
１０  肉や魚などの焼物
１１  突起の角度
１２  焼物から出る汁
１３  突起状の孔のサイズ
１４  孔の無い部分のサイズ
【図１】
2011045680.tif 000003
【図２】
2011045680.tif 000004